(57)【要約】【課題】  遊技盤に取り付けられた機能部品から信号線を取り外す作業を容易に行うことができる弾球遊技機の遊技盤を提供すること。【解決手段】  遊技盤１１には部品取付孔４２が貫通形成されている。部品取付孔４２にはゲート３１が取り付けられ、ゲート３１には信号線３４が着脱可能に接続される。ゲート３１と信号線３４との接続部位Ｂ１は、部品取付孔４２内に配置される。部品取付孔４２の遊技盤後面側開口縁において接続部位Ｂ１の近傍には、凹部４３が形成される。これにより、部品取付孔４２内に指先などを挿入しやすくなる。【選択図】  図５
2006094883.tif 000002
【特許請求の範囲】
【請求項１】
遊技盤前面及び遊技盤後面にて開口する部品取付孔が貫通形成され、遊技関連機能を発揮する機能部品が前記部品取付孔に取り付けられ、機内に配設された制御装置側との電気的な接続を行うための信号線が、前記機能部品に対して遊技盤後面側から着脱可能に接続され、前記機能部品と前記信号線との接続部位が前記部品取付孔内に配置される弾球遊技機の遊技盤であって、
前記部品取付孔の遊技盤後面側開口縁において少なくとも前記接続部位の近傍に、凹部が形成されていることを特徴とする弾球遊技機の遊技盤。
【請求項２】
遊技盤前面及び遊技盤後面にて開口する部品取付孔が貫通形成され、遊技関連機能を発揮する機能部品が前記部品取付孔に取り付けられ、機内に配設された制御装置側との電気的な接続を行うための信号線が、前記機能部品に対して遊技盤後面側から着脱可能に接続され、前記機能部品と前記信号線との接続部位が前記部品取付孔内に配置される弾球遊技機の遊技盤であって、
前記部品取付孔の遊技盤後面側開口部の開口面積が、前記部品取付孔の遊技盤前面側開口部の開口面積よりも大きくなっていることを特徴とする弾球遊技機の遊技盤。
【請求項３】
遊技盤前面及び遊技盤後面にて開口する部品取付孔が貫通形成され、遊技球の通過を検知する機能を有する遊技球検知装置が前記部品取付孔に取り付けられ、機内に配設された制御装置側に遊技球検知信号を送るための信号線が、前記遊技球検知装置に対して遊技盤後面側から着脱可能に接続され、前記遊技球検知装置と前記信号線との接続部位が前記部品取付孔内に配置される弾球遊技機の遊技盤であって、
前記部品取付孔に取り付けられた前記遊技球検知装置は、
前記遊技球の通過を許容する通過部が遊技盤前面側に位置し、前記部品取付孔内に検知手段保持部が位置する検知装置本体と、
前記通過部を通過する遊技球を検知するべく、前記検知装置本体の前記検知手段保持部に保持された遊技球検知手段と、
前記遊技球検知手段の後端に設けられ、前記信号線の先端に設けられた信号線側コネクタ部と着脱可能に接続される検知手段側コネクタ部と、
前記検知装置本体の前記検知手段保持部の後部に設けられ、前記遊技球検知手段に対して係脱可能に係止する係止手段と
を備え、
前記部品取付孔の遊技盤後面側開口縁において少なくとも前記検知手段側コネクタ部及び前記係止手段の近傍に、凹部が形成されていることを特徴とする弾球遊技機の遊技盤。
【発明の詳細な説明】
【技術分野】
【０００１】
本発明は、パチンコ機などの弾球遊技機の遊技盤に関するものであり、特には、遊技球検知装置等の機能部品を取り付けるための部品取付孔の形状に特徴を有する弾球遊技機の遊技盤に関するものである。
【背景技術】
【０００２】
弾球遊技機の一種であるパチンコ機は、複数種類の機能部品が取り付けられた遊技盤を備えている。具体的にいうと、遊技盤における機能部品としては、遊技球の通過を検知する機能を有するゲートや始動入賞口などの遊技球検知装置、複数種類の図柄を変動表示して図柄変動ゲームを表示する図柄表示装置、図柄変動ゲームの演出表現に寄与する各種演出装置などが挙げられる。これらの機能部品は、遊技盤を切削加工して貫通形成される部品取付孔に挿入され、遊技盤前面側からネジ止めすること等によって固定されている（例えば、特許文献１参照）。また、当該機能部品にはコネクタが設けられている。このコネクタには弾球遊技機内の制御装置側から延びる信号線（ハーネス）が電気的に接続され、これによって機能部品が所要の機能を発揮しうるようになっている。
【特許文献１】特開２００２−１１９６５４号公報
【発明の開示】
【発明が解決しようとする課題】
【０００３】
ところで、製造上、メインテナンス上またはリサイクル上の都合により、機能部品側のコネクタから信号線を取り外さなければならない場合がある。しかしながら、従来の遊技盤においては、前記部品取付孔に空間的な余裕がない。よって、部品取付孔内に位置するコネクタから信号線を容易に取り外すにあたって、部品取付孔内に指先などを挿入することが難しく、作業性が良いとは言えなかった。
【０００４】
また、遊技球の検知機能を有するゲートなどの機能部品は、コネクタ部を具備した検知スイッチを有しており、コネクタ部に遊技盤後面側から前記信号線を接続することで該検知機能を発揮するようになっている。この場合、検知スイッチが破損して交換の必要が生じると、信号線に加えて検知スイッチ自体も取り外す必要が生じてしまう。一般に、検知スイッチの離脱方向は、信号線の離脱方向と同一方向であるため、その取り外し作業は信号線の場合と同様に遊技盤後面側から行われる。しかし、検知スイッチも部品取付孔内に位置するため、その取り外し作業を容易に行うことができなかった。
【０００５】
本発明は上記の課題に鑑みてなされたものであり、その第１の目的は、遊技盤に取り付けられた機能部品から信号線を取り外す作業を容易に行うことができる弾球遊技機の遊技盤を提供することにある。本発明の第２の目的は、前記機能部品の一種である遊技球検知装置から遊技球検知手段を取り外す作業を容易に行うことができる弾球遊技機の遊技盤を提供することにある。
【課題を解決するための手段】
【０００６】
上記課題を解決するために、請求項１に記載の発明は、遊技盤前面及び遊技盤後面にて開口する部品取付孔が貫通形成され、遊技関連機能を発揮する機能部品が前記部品取付孔に取り付けられ、機内に配設された制御装置側との電気的な接続を行うための信号線が、前記機能部品に対して遊技盤後面側から着脱可能に接続され、前記機能部品と前記信号線との接続部位が前記部品取付孔内に配置される弾球遊技機の遊技盤であって、前記部品取付孔の遊技盤後面側開口縁において少なくとも前記接続部位の近傍に、凹部が形成されていることを特徴とする弾球遊技機の遊技盤をその要旨とする。
【０００７】
従って、請求項１に記載の発明によると、凹部の形成により部品取付孔内の接続部位の近傍に空間的な余裕が生じるため、部品取付孔内に指先などを挿入しやすくなる。よって、部品取付孔内の接続部位を指先などで操作することにより、信号線を、機能部品から遊技盤後面方向に容易に取り外すことができる。また、同様の理由で機能部品に信号線を容易に取り付けることができる。
【０００８】
ここで、「部品取付孔」とは、遊技盤前面及び遊技盤後面にて開口する貫通孔であって、かかる部品取付孔には機能部品の一部が挿入された状態で取り付けられる。部品取付孔の断面形状はそこに取り付けられるべき機能部品の形状や種類等に応じて適宜選択可能であり、例えば、断面略円形状、断面略楕円形状、断面略長円形状、断面略三角形状、断面略矩形状などが挙げられる。
【０００９】
なお、前記部品取付孔は、遊技球が通過不能に構成されていることが好ましい。即ち、部品取付孔は、遊技球が通過不能となる程度に小さいものである。このため、部品取付孔に凹部を形成したり、部品取付孔の遊技盤後面側開口部の開口面積を遊技盤前面側開口部の開口面積よりも大きくしたり（請求項２）しなければ、遊技球が通過可能となるように部品取付孔が構成される場合に比べて、部品取付孔内への指先などの挿入がより困難となる。よって、凹部を形成したことによる効果や、遊技盤後面側開口部の開口面積を遊技盤前面側開口部の開口面積よりも大きくしたことによる効果は、遊技球が通過可能となるように部品取付孔が構成される場合よりも大きいものとなる。
【００１０】
なお、機能部品としては、例えば、ゲート、始動入賞口、普通入賞口、大入賞口などの遊技球の通過を検知する機能を有する遊技球検知装置などが挙げられる。また、複数種類の図柄を変動表示して図柄変動ゲームを表示する図柄表示装置などが挙げられる。さらに、図柄変動ゲームの演出表現に寄与する各種演出装置、具体的には、遊技盤前面側の左側部分または右側部分に取り付けられたサイドランプなどが挙げられる。
【００１１】
なお、機能部品の遊技関連機能としては、機能部品が遊技球検知装置である場合、遊技球の通過を検知する機能などが挙げられる。また、機能部品が図柄表示装置である場合、図柄変動ゲームを表示する機能などが挙げられる。さらに、機能部品が、図柄変動ゲームに伴って発光演出などを行う発光演出装置、例えばサイドランプである場合、サイドランプを点灯（点滅）させる機能などが挙げられる。
【００１２】
ここで、前記機能部品と前記信号線との接続部位は、機能部品と信号線とを直接的に接続した場合の接続部位であってもよいし、間接的に接続した場合の接続部位であってもよい。機能部品と信号線とを直接的に接続した場合の接続部位とは、機能部品の後端部と信号線の先端部とからなる部位をいう。一方、機能部品と信号線とを間接的に接続した場合の接続部位としては、例えば、機能部品の後端に設けられた機能部品側コネクタ部と信号線の先端に設けられた信号線側コネクタ部とからなる部位などが挙げられる。
【００１３】
前記部品取付孔は、従来周知の加工法により貫通形成することが可能であり、例えば、回転切削加工（例えばエンドミルを有するフライス盤による切削加工など）などを採用することが好適である。回転切削加工を行う場合、部品取付孔の加工時に併せて凹部の加工を行ってもよく、この手法によれば工具を変更せずに凹部を形成できるので、工数増を伴わずに効率よく遊技盤を得ることができる。
【００１４】
また、前記凹部の側壁面は前記遊技盤の遊技盤前面及び遊技盤後面に対して垂直であることが好ましく、前記凹部の底面は遊技盤前面及び遊技盤後面に対して平行であることが好ましい。このような形状の凹部は回転切削工具を用いた加工法により容易に形成可能なため、部品取付孔の加工時に併せて凹部の加工を行うことができる。
【００１５】
また、前記凹部は、前記部品取付孔の開口縁の一部に形成されていてもよいし、前記部品取付孔の開口縁の全周に亘って形成されていてもよい。但し、部品取付孔の大きさが指先を挿入できない程度であれば、前記凹部は、前記部品取付孔の開口縁の全周に亘って形成されていることが好ましい。このようにすれば、部品取付孔に対して指先を挿入する方向が限定されなくなるので、信号線の着脱作業がより簡単になる。
【００１６】
さらに、遊技盤前面側に遊技釘が打ち込まれるとともに、前記機能部品がネジで固定されているため、前記凹部の深さは、前記遊技釘の先端及び前記ネジの先端が突出しない程度に設定されていることが好ましい。別の表現をすると、遊技盤において凹部が形成された部位の厚さは、遊技盤に対する遊技釘やネジの埋没量よりも大きくなるように設定されることがよい。このようにすれば、部品取付孔内に指先などを挿入した場合に、遊技釘の先端やネジの先端に対する指などの接触を未然に防止でき、安心して作業を行うことができる。凹部の深さ（遊技盤後面から凹部の底面までの距離）は特に限定されないが、遊技釘やネジの埋没量が通常遊技盤の厚さの１／３程度であることを考慮すると、遊技盤の厚さの１／４〜１／２程度に設定することが好適である。即ち、凹部が浅すぎると指先を十分に挿入できなくなるからである。逆に、凹部が深すぎると遊技釘の先端及びネジの先端が突出しやすくなってしまう。また、遊技釘やネジの先端の突出を避けるべくその埋没量を少なくすると、遊技釘やネジの固定強度が悪くなってしまう。
【００１７】
請求項２に記載の発明は、遊技盤前面及び遊技盤後面にて開口する部品取付孔が貫通形成され、遊技関連機能を発揮する機能部品が前記部品取付孔に取り付けられ、機内に配設された制御装置側との電気的な接続を行うための信号線が、前記機能部品に対して遊技盤後面側から着脱可能に接続され、前記機能部品と前記信号線との接続部位が前記部品取付孔内に配置される弾球遊技機の遊技盤であって、前記部品取付孔の遊技盤後面側開口部の開口面積が、前記部品取付孔の遊技盤前面側開口部の開口面積よりも大きくなっていることを特徴とする弾球遊技機の遊技盤をその要旨とする。
【００１８】
従って、請求項２に記載の発明によると、部品取付孔の遊技盤後面側開口部の開口面積を遊技盤前面側開口部の開口面積よりも大きくすることにより、部品取付孔内の接続部位の周囲に空間的な余裕が生じうる。ゆえに、部品取付孔内に指先などを挿入しやすくなる。よって、部品取付孔内の接続部位を指先などで操作することにより、信号線を、機能部品から遊技盤後面方向に容易に取り外すことができる。また、同様の理由で機能部品に信号線を容易に取り付けることができる。
【００１９】
なお、前記部品取付孔の遊技盤後面側開口部の開口面積は、少なくとも作業者が指先を挿入可能な大きさに設定されていることが好ましい。このようにすれば、遊技盤後面側開口部内に指先を挿入可能な空間が確保されるため、信号線の着脱作業をより簡単に行うことができる。なお、部品取付孔の遊技盤前面側開口部及び遊技盤後面側開口部の断面形状が略円形、楕円形または長円形状である場合、遊技盤後面側開口部の最大径が、遊技盤前面側開口部の最大径よりも大きくなっていることがよい。
【００２０】
請求項３に記載の発明は、遊技盤前面及び遊技盤後面にて開口する部品取付孔が貫通形成され、遊技球の通過を検知する機能を有する遊技球検知装置が前記部品取付孔に取り付けられ、機内に配設された制御装置側に遊技球検知信号を送るための信号線が、前記遊技球検知装置に対して遊技盤後面側から着脱可能に接続され、前記遊技球検知装置と前記信号線との接続部位が前記部品取付孔内に配置される弾球遊技機の遊技盤であって、前記部品取付孔に取り付けられた前記遊技球検知装置は、前記遊技球の通過を許容する通過部が遊技盤前面側に位置し、前記部品取付孔内に検知手段保持部が位置する検知装置本体と、前記通過部を通過する遊技球を検知するべく、前記検知装置本体の前記検知手段保持部に保持された遊技球検知手段と、前記遊技球検知手段の後端に設けられ、前記信号線の先端に設けられた信号線側コネクタ部と着脱可能に接続される検知手段側コネクタ部と、前記検知装置本体の前記検知手段保持部の後部に設けられ、前記遊技球検知手段に対して係脱可能に係止する係止手段とを備え、前記部品取付孔の遊技盤後面側開口縁において少なくとも前記検知手段側コネクタ部及び前記係止手段の近傍に、凹部が形成されていることを特徴とする弾球遊技機の遊技盤をその要旨とする。
【００２１】
従って、請求項３に記載の発明によると、凹部の形成により検知手段側コネクタ部及び係止手段の近傍に空間的な余裕が生じるため、部品取付孔内に指先などを挿入しやすくなる。よって、検知手段側コネクタ部に接続された信号線側コネクタ部を指で把持して操作することにより、信号線を、遊技球検知装置から遊技盤後面方向に容易に取り外すことができる。また、同様の理由で遊技球検知装置に信号線を容易に取り付けることができる。
【００２２】
さらに、部品取付孔内の係止手段に指先などを引っ掛ける等して、遊技球検知手段に対する係止手段の係止を容易に解除できるため、その状態で遊技球検知手段を操作することにより、遊技球検知手段を、遊技球検知装置から遊技盤後面方向に容易に取り外すことができる。また、同様の理由で遊技球検知装置に遊技球検知手段を容易に取り付けることができる。
【００２３】
ここで、「前記遊技球検知装置と前記信号線との接続部位」とは、遊技球検知装置と信号線とを間接的に接続した場合の接続部位をいう。即ち、前記接続部位とは、遊技球検知装置の後端に設けられた検知手段側コネクタ部と信号線の先端に設けられた信号線側コネクタ部とからなる部位をいう。
【００２４】
なお、係止手段としては、検知手段保持部の後部に一体形成され、遊技球検知手段の後面に対して係脱可能に係止する係止爪や、検知手段保持部の後部に回転軸部を介して設けられ、遊技球検知手段に対して係脱可能に係止する係止片などが挙げられるが、係止爪であることが好ましい。このようにすれば、遊技球検知装置を構成する部品の点数の増加を抑えることができるからである。
【００２５】
例えば、係止手段が信号線の着脱方向（即ち遊技盤前面及び遊技盤後面に垂直な方向）に対して略垂直な方向（即ち遊技盤前面及び遊技盤後面に沿った方向）に係脱するように構成されている場合、凹部が係止手段の係脱方向に延びるように形成されていることが好ましい。この構成によれば、係止手段の係脱を許容する空間が係止手段の近傍に確保される。
【発明の効果】
【００２６】
以上詳述したように、請求項１〜３に記載の発明によれば、遊技盤に取り付けられた機能部品から信号線を取り外す作業を容易に行うことができる。請求項３に記載の発明によれば、さらに、機能部品の一種である遊技球検知装置から遊技球検知手段を取り外す作業を容易に行うことができる。
【発明を実施するための最良の形態】
【００２７】
以下、本発明を具体化した一実施形態の遊技盤を図１〜図１２に基づき詳細に説明する。
【００２８】
図１に示される遊技盤１１は、略正方形状の外形を有しており、その遊技盤前面１１ａには、遊技球Ａ１（図５参照）が転動流下する遊技領域１２が区画形成されている。遊技盤１１の遊技領域１２の略中央部には、矩形状開口部を有する枠状のセンター役物２２が装着されている。センター役物２２の奥側には、複数の図柄を変動表示して図柄変動ゲームを表示する液晶式図柄表示装置１５が配設されている。
【００２９】
液晶式図柄表示装置１５の下方には、普通電動役物１６が一体的に構成された始動入賞口１４が配設されている。普通電動役物１６は、一対の羽根部材からなり、図示しないソレノイドの励磁作用により開閉するようになっている。また、始動入賞口１４の下方には、図示しないソレノイドにより開閉動作を行う大入賞口１７が配設されている。始動入賞口１４にて遊技球Ａ１が検知された場合には、液晶式図柄表示装置１５による図柄変動ゲームが行われるとともに、賞球の払い出しが行われるようになっている。さらに、遊技領域１２には、普通入賞口２３ａ，２３ｂが設けられている。なお、始動入賞口１４、大入賞口１７及び普通入賞口２３ａ，２３ｂは、内部に遊技球検知スイッチ（図示略）をそれぞれ具備しており、それら遊技球検知スイッチは、パチンコ機（弾球遊技機）内に配設された制御装置としての主制御基板５０（図１０参照）に接続されている。
【００３０】
図１に示されるように、遊技領域１２の左右両側には、一対の電飾装置１８（サイドランプ）が配置されている。各電飾装置１８は、遊技状態に応じて照射パターンが変更制御される小型電球（図示略）を内部に備えている。また、遊技領域１２の略全域には、複数の遊技釘１９が打ち込まれている。
【００３１】
さらに、遊技領域１２には、前記遊技球Ａ１の通過を検知する機能を有するゲート３１（機能部品、遊技球検知装置）が取り付けられている。図５，図６に示されるように、ゲート３１は、一部が遊技盤１１に設けられた部品取付孔４２に挿入された状態で、遊技盤前面１１ａ側からネジ３２（図６参照）を螺着させることによって固定されている。
【００３２】
図２〜図４に示されるように、部品取付孔４２は、回転切削工具（本実施形態ではエンドミルを有するフライス盤）を用いて遊技盤１１に対して回転切削加工を行うことで貫通形成されている。部品取付孔４２は、正面視で略長円形状をなし、遊技盤前面１１ａ及び遊技盤後面１１ｂにて開口されている。また、部品取付孔４２は遊技球Ａ１が通過不能に構成されている。具体的に言うと、部品取付孔４２の遊技盤前面側開口部４２ａの長径が遊技球Ａ１の直径よりも大きくなっているものの、部品取付孔４２の遊技盤前面側開口部４２ａの短径は遊技球Ａ１の直径よりも小さくなっている。
【００３３】
また、部品取付孔４２の遊技盤後面側開口部４２ｂの開口面積は、部品取付孔４２の遊技盤前面側開口部４２ａの開口面積よりも大きくなっている。詳述すると、部品取付孔４２の遊技盤後面側開口縁には、正面視で略長円形状をなす凹部４３が形成されている。凹部４３は、部品取付孔４２の加工時に遊技盤後面側開口部４２ｂの周囲を切削することにより、併せて加工されるようになっている。また、凹部４３は、部品取付孔４２の全周に亘って形成されており、凹部４３（遊技盤後面側開口部４２ｂ）の開口面積は、作業者が指先を挿入可能な大きさに設定されている。これにより、凹部４３の長径が部品取付孔４２の遊技盤前面側開口部４２ａの長径よりも大きくなるとともに、凹部４３の短径が遊技盤前面側開口部４２ａの短径よりも大きくなる。また、凹部４３の深さは、前記遊技釘１９の先端及び前記ネジ３２の先端が突出しない程度に設定されている（図３，図６参照）。即ち、凹部４３は、遊技釘１９及びネジ３２を避けて配置されている。さらに、凹部４３の側壁面４３ａは、遊技盤前面１１ａ及び遊技盤後面１１ｂに対して垂直になっており、凹部４３の底面４３ｂは、遊技盤前面１１ａ及び遊技盤後面１１ｂに対して平行になっている。
【００３４】
図５〜図９に示されるように、前記ゲート３１は、検知装置本体としてのゲート本体３５を備えている。ゲート本体３５は、めっきや塗装などによって装飾が施された装飾部４０を備えており、同装飾部４０は遊技盤前面１１ａ側に位置している。装飾部４０は、遊技盤前面１１ａに当接するフランジ部４４を備えている。フランジ部４４には、ネジ３２が挿通される一対のネジ孔（図示略）が設けられている。これらネジ孔にネジ３２を挿通した状態で各ネジ３２を遊技盤１１に螺着させることにより、ゲート３１が固定されるようになっている。また、装飾部４０の裏面側には、略円柱状をなす２本のボス４１が突設されている。各ボス４１は、ゲート３１の固定時に部品取付孔４２内に挿入されることで、装飾部４０のがたつき防止を図るようになっている。さらに、装飾部４０は、略コ字状をなす通過部３８を備えている。通過部３８は、フランジ部４４に突設された一対の保持部４５と、両保持部４５を連結する連結部４６とからなっている。両保持部４５間の距離は前記遊技球Ａ１の直径よりも長くなっており、連結部４６とフランジ部４４との距離も遊技球Ａ１の直径よりも長くなっている。これにより、通過部３８は、前記遊技球Ａ１の通過を許容するようになる。
【００３５】
図５〜図９に示されるように、部品取付孔４２内には、検知手段保持部としてのスイッチホルダ３９が位置している（図５，図６参照）。スイッチホルダ３９は、ゲート本体３５の一部を構成しており、装飾部４０の後側に取り付けられている。また、スイッチホルダ３９の後部には、係止手段としての係止片３７が突設されている。係止片３７は、スイッチホルダ３９に保持された遊技球検知スイッチ３６（遊技球検知手段）の後端に対して係脱可能になっている。詳述すると、係止片３７は、前記凹部４３の長径の径方向に沿って係脱するように構成されている（図１２参照）。つまり、凹部４３は、係止片３７の係脱方向に沿って長くなる形状となっている。
【００３６】
また、遊技球検知スイッチ３６には、略円形状をなす遊技球通過孔４７を備えている。遊技球通過孔４７の内径は、前記遊技球Ａ１の直径よりもやや大きくなっている。また、遊技球通過孔４７は、遊技球検知スイッチ３６がスイッチホルダ３９に保持された状態において、通過部３８によって形成された領域内に位置するようになっている。これにより、遊技球検知スイッチ３６は、遊技球通過孔４７（通過部３８）を通過する遊技球Ａ１を検知することができる。そして、遊技球検知スイッチ３６は、遊技球Ａ１の通過を検知して遊技球検知信号（図１０参照）を前記主制御基板５０に出力するようになっている。これにより、ゲート３１は、所要の遊技関連機能（遊技球Ａ１の通過を検知する機能）を発揮するようになる。
【００３７】
図５，図８，図９に示されるように、遊技球検知スイッチ３６の後端には、検知スイッチ側コネクタ部３３（検知手段側コネクタ部）が設けられている。なお、この検知スイッチ側コネクタ部３３と前記係止片３７との近傍に、前記凹部４３が形成されるようになっている。検知スイッチ側コネクタ部３３には、信号線側コネクタ部３４ａが遊技盤後面１１ｂ側から電気的にかつ着脱可能に接続されている。なお、検知スイッチ側コネクタ部３３はメス型コネクタであり、信号線側コネクタ部３４ａはオス型コネクタである。また、検知スイッチ側コネクタ部３３と信号線側コネクタ部３４ａとの接続部位Ｂ１は、前記部品取付孔４２内において凹部４３の近傍に配置されている。さらに、信号線側コネクタ部３４ａは信号線３４の先端に設けられており、同信号線３４は主制御基板５０側から延びている。なお、信号線３４は、主制御基板５０側に遊技球検知信号を送るためのものである。
【００３８】
次に、図１０に基づいて、遊技盤１１を有するパチンコ機の電気的な構成を説明する。このパチンコ機は、パチンコ機全体を制御する主制御基板５０を備えている。主制御基板５０は、メインＣＰＵ５０ａ、ＲＯＭ５０ｂ及びＲＡＭ５０ｃを備えている。メインＣＰＵ５０ａは、パチンコ機全体を制御するための各種処理を実行し、その処理結果に応じて各種の制御コマンドを演算処理するようになっている。そして、メインＣＰＵ５０ａは、前記制御コマンドを所定の制御信号として各サブ制御基板（表示制御基板５２、ランプ制御基板５１、音声制御基板５３）に向けて出力するようになっている。また、メインＣＰＵ５０ａは、遊技球検知信号の入力を契機とした乱数抽選に基づいて前記普通電動役物１６のソレノイドを駆動させることにより、一対の羽根部材を開放させ、前記遊技球Ａ１が入賞しやすい状態にさせうるようになっている。
【００３９】
図１０に示されるように、表示制御基板５２は、サブＣＰＵ、ＲＯＭ及びＲＡＭを備えている（いずれも図示略）。表示制御基板５２のサブＣＰＵは、メインＣＰＵ５０ａからの制御信号に基づいて、前記液晶式図柄表示装置１５の表示態様を制御するようになっている。より詳しくは、表示制御基板５２のサブＣＰＵは、ＲＯＭから選択した表示演出パターンのデータを図柄信号に変換し、液晶式図柄表示装置１５に出力する。その結果、液晶式図柄表示装置１５は、図柄信号に基づき図柄変動ゲームを開始する。
【００４０】
また、前記ランプ制御基板５１は、サブＣＰＵ、ＲＯＭ及びＲＡＭを備えている（いずれも図示略）。ランプ制御基板５１のサブＣＰＵは、メインＣＰＵ５０ａからの制御信号に基づいて、前記電飾装置１８などの発光態様を制御する役割を有している。より詳しくは、ランプ制御基板５１のサブＣＰＵは、ＲＯＭから選択した発光演出パターンのデータを発光制御信号に変換し、電飾装置１８に出力する。その結果、電飾装置１８内の前記小型電球が、発光制御信号に基づき点灯（点滅）または消灯する。
【００４１】
さらに、前記音声制御基板５３は、サブＣＰＵ、ＲＯＭ及びＲＡＭを備えている（いずれも図示略）。音声制御基板５３のサブＣＰＵは、メインＣＰＵ５０ａからの制御信号に基づいて、パチンコ機のスピーカ２１の音声出力態様を制御する役割を有している。より詳しくは、音声制御基板５３のサブＣＰＵは、ＲＯＭから選択した音声演出パターンのデータを音声制御信号に変換し、スピーカ２１に出力する。その結果、スピーカ２１が、音声制御信号に基づき音声を出力する。
【００４２】
次に、遊技盤１１に取り付けられたゲート３１から信号線３４を取り外す手順について述べる。まず、遊技盤１１の遊技盤後面１１ｂ側から凹部４３内に指先を挿入する。次に、信号線側コネクタ部３４ａを指先で把持し、遊技盤後面１１ｂ方向（図１１に示す矢印Ｆ１方向）に引っ張るようにする。その結果、信号線側コネクタ部３４ａが検知スイッチ側コネクタ部３３から引き抜かれて信号線３４が取り外される（図１１参照）。
【００４３】
さらに、信号線３４を取り外したゲート３１から遊技球検知スイッチ３６を取り外す手順について述べる。まず、凹部４３内に指先を再度挿入する。次に、係止片３７に指先を引っ掛けて同係止片３７を操作し、係止片３７を弾性変形させる（図１２の破線部分参照）。これにより、遊技球検知スイッチ３６に対する係止片３７の係止が解除される。さらに、その状態で、遊技球検知スイッチ３６の後端部を把持して遊技盤後面１１ｂ方向（図１２に示す矢印Ｆ２方向）に引っ張るようにする。その結果、遊技球検知スイッチ３６がスイッチホルダ３９から引き抜かれて遊技球検知スイッチ３６が取り外される（図１２参照）。
【００４４】
次に、ゲート３１に対して遊技球検知スイッチ３６を取り付ける手順について述べる。まず、遊技球検知スイッチ３６の後端部を把持してスイッチホルダ３９内に挿入するようにする。このとき、係止片３７が、遊技球検知スイッチ３６の側面に押圧されて弾性変形する（図１２の破線部分参照）。その後、遊技球検知スイッチ３６がスイッチホルダ３９内に完全に挿入されると、係止片３７が変形前の状態に復元し、遊技球検知スイッチ３６の後端に係止する（図６参照）。その結果、遊技球検知スイッチ３６がゲート３１に取り付けられる。
【００４５】
その後、信号線３４の先端の信号線側コネクタ部３４ａを指先で把持して検知スイッチ側コネクタ部３３内に挿入すれば、遊技球検知スイッチ３６が取り付けられたゲート３１に対して信号線３４が取り付けられる。
【００４６】
従って、本実施形態によれば以下のような効果を得ることができる。
【００４７】
（１）本実施形態の遊技盤１１では、凹部４３の形成により部品取付孔４２内の検知スイッチ側コネクタ部３３及び係止片３７の近傍に空間的な余裕が生じるため、部品取付孔４２内に指先などを挿入しやすくなる。よって、検知スイッチ側コネクタ部３３に接続された信号線側コネクタ部３４ａを指先で把持して引っ張ることにより、信号線３４を、ゲート３１から遊技盤後面１１ｂ方向（図１１に示す矢印Ｆ１方向）に容易に取り外すことができる。
【００４８】
また、信号線３４を遊技球検知スイッチ３６に接続する際においても、信号線側コネクタ部３４ａを指先で把持して検知スイッチ側コネクタ部３３内に挿入することが容易になる。従って、ゲート３１に信号線３４を容易かつ確実に取り付けることができるため、遊技球検知スイッチ３６を正常に作動させることができ、遊技球Ａ１の通過を確実に検知することができる。ゆえに、信号線３４の接続不良に起因した遊技球検知スイッチ３６の誤作動を防止することができる。
【００４９】
（２）本実施形態では、凹部４３の形成により、部品取付孔４２内に指先などを挿入しやすくなっているため、係止片３７に指先を引っ掛けて同係止片３７を操作することにより、遊技球検知スイッチ３６に対する係止片３７の係止を容易に解除することができる。さらに、その状態で遊技球検知スイッチ３６を指先で把持して引っ張ることにより、遊技球検知スイッチ３６を、ゲート３１から遊技盤後面１１ｂ方向（図１２に示す矢印Ｆ２方向）に容易に取り外すことができる。
【００５０】
また、遊技球検知スイッチ３６をゲート３１に取り付ける際においても、遊技球検知スイッチ３６を指先で把持してスイッチホルダ３９内に挿入することが容易になる。従って、遊技球検知スイッチ３６をスイッチホルダ３９に確実に保持させることができるため、遊技球通過孔４７と通過部３８との位置関係を適切に維持することができる。ゆえに、遊技球通過孔４７（通過部３８）を通過する遊技球Ａ１が引っ掛かったりする可能性が小さくなるため、遊技球検知スイッチ３６により遊技球Ａ１の通過を確実に検知することができる。
【００５１】
（３）本実施形態では、凹部４３の側壁面４３ａが遊技盤前面１１ａ及び遊技盤後面１１ｂに対して垂直になっている。このため、回転切削加工を行う際に回転切削工具を傾斜させたりしなくても、凹部４３を形成することができる。よって、凹部４３の側壁面４３ａを遊技盤前面１１ａ及び遊技盤後面１１ｂに対して傾斜させる場合に比べ、凹部４３の形成が容易になる。また、凹部４３の底面４３ｂは遊技盤前面１１ａ及び遊技盤後面１１ｂに対して平行になっている。このため、凹部４３の底面４３ｂが起伏形状をなしている場合に比べ、部品取付孔４２内に挿入した指先などが凹部４３の底面４３ｂに接触しにくくなる。
【００５２】
（４）ところで、遊技盤１１の遊技盤後面１１ｂ側には、多くの基板や電気部品などが密集して設けられているため、凹部４３を形成するためのスペースの確保が困難である。そこで、本実施形態では、凹部４３を正面視で略長円形状となるように形成している。これにより、凹部４３の開口面積を最小限に抑えることができる。しかも、接続部位Ｂ１が配置される空間と指先などを挿入できる空間とを最低限確保することができる。具体的には、凹部４３内の略中央部分に接続部位Ｂ１が配置される空間を確保できるとともに、接続部位Ｂ１の両側にそれぞれ指先などを挿入できる空間を確保することができる。
【００５３】
なお、本発明の実施形態は以下のように変更してもよい。
【００５４】
・上記実施形態では、凹部４３の開口面積は、作業者が指先を挿入可能な大きさに設定されていた。しかし、凹部４３の開口面積をさらに広げてもよい。このようにすれば、凹部４３内に確保される空間がより広くなるため、信号線３４及び遊技球検知スイッチ３６の着脱作業がよりいっそう容易になる。
【００５５】
・上記実施形態において、凹部４３をより深くしてもよい。このようにすれば、接続部位Ｂ１が凹部４３内に露出しやすくなるため、信号線側コネクタ部３４ａや遊技球検知スイッチ３６をよりいっそう把持しやすくなる。
【００５６】
・上記実施形態では、ゲート３１が取り付けられる部品取付孔４２に凹部４３を形成していたが、勿論これに限定されることはなく、ゲート３１以外のものが取り付けられる部品取付孔に凹部４３を形成するようにしてもよい。例えば、電飾装置１８及び普通入賞口２３ａ，２３ｂが取り付けられる部品取付孔６１、始動入賞口１４などが取り付けられる部品取付孔６２、液晶式図柄表示装置１５を配設したセンター役物２２が取り付けられる部品取付孔６３などに凹部４３を形成するようにしてもよい（図２参照）。
【００５７】
なお、これら場合、凹部４３を部品取付孔の全周に亘って形成せずに、部品取付孔の一部だけに形成してもよい。特に、センター役物２２が取り付けられる部品取付孔などのように、部品取付孔の開口面積が大きい場合は、凹部４３を部品取付孔の一部に形成したとしても、指先などを挿入しにくくなるといった弊害が生じにくくなる。
【００５８】
次に、特許請求の範囲に記載された技術的思想のほかに、前述した実施形態によって把握される技術的思想を以下に列挙する。
【００５９】
（１）請求項１乃至３のいずれか１項において、前記部品取付孔は、遊技球が通過不能に構成されていること。
【００６０】
（２）請求項１または３において、遊技盤前面側に、遊技釘が打ち込まれるとともに、前記機能部品または前記遊技球検知装置がネジで固定され、前記凹部の深さは、前記遊技釘の先端及び前記ネジの先端が突出しない程度に設定されていること。このようにすれば、部品取付孔内に指先などを挿入した場合に、遊技釘の先端やネジの先端に対する指などの接触を未然に防止でき、安心して作業を行うことができる。
【００６１】
（３）請求項２において、前記部品取付孔の遊技盤後面側開口部の開口面積は、少なくとも作業者が指先を挿入可能な大きさに設定されていること。このようにすれば、遊技盤後面側開口部内に指先などを挿入可能な空間が確保されるため、信号線の着脱作業をより簡単に行うことができる。
【００６２】
（４）請求項１または３において、前記凹部の側壁面は前記遊技盤前面及び前記遊技盤後面に対して垂直になっており、前記凹部の底面は前記遊技盤前面及び前記遊技盤後面に対して平行になっていること。
【００６３】
（５）請求項１または３において、前記凹部は、前記部品取付孔の全周に亘って形成されていること。このようにすれば、指先を挿入する方向が限定されなくなるので、信号線や遊技球検知手段の着脱作業をより簡単に行うことができる。
【００６４】
（６）遊技盤前面及び遊技盤後面にて開口する部品取付孔が貫通形成され、遊技球の通過を検知する機能を有する遊技球検知装置が前記部品取付孔に取り付けられ、機内に配設された制御装置側に遊技球検知信号を送るための信号線が、前記遊技球検知装置に対して遊技盤後面側から着脱可能に接続され、前記遊技球検知装置と前記信号線との接続部位が前記部品取付孔内に配置される弾球遊技機の遊技盤であって、前記部品取付孔に取り付けられた前記遊技球検知装置は、前記遊技球の通過を許容する通過部が遊技盤前面側に位置し、前記部品取付孔内に検知手段保持部が位置する検知装置本体と、前記通過部を通過する遊技球を検知するべく、前記検知装置本体の前記検知手段保持部に保持された遊技球検知手段と、前記遊技球検知手段の後端に設けられ、前記信号線の先端に設けられた信号線側コネクタ部と着脱可能に接続される検知手段側コネクタ部と、前記検知装置本体の前記検知手段保持部の後部に設けられ、前記遊技球検知手段に対して係脱可能に係止する係止手段とを備え、前記係止手段は、前記信号線の着脱方向に対して略垂直方向に係脱するように構成され、前記部品取付孔の遊技盤後面側開口縁において少なくとも前記検知手段側コネクタ部及び前記係止手段の近傍に凹部が形成され、前記凹部が前記係止手段の係脱方向に延びていることを特徴とする弾球遊技機の遊技盤。
【図面の簡単な説明】
【００６５】
【図１】本実施形態におけるパチンコ機の遊技盤を示す正面図。
【図２】遊技盤の背面図。
【図３】図２のＡ−Ａ線断面図。
【図４】図２のＢ−Ｂ線断面図。
【図５】ゲートが取り付けられた状態の遊技盤を示す断面図。
【図６】ゲートが取り付けられた状態の遊技盤を示す断面図。
【図７】ゲートの上面図。
【図８】ゲートの側面図。
【図９】ゲートの側断面図。
【図１０】パチンコ機における主制御基板、表示制御基板、音声制御基板、ランプ制御基板などを示すブロック図。
【図１１】ゲートから信号線を取り外した状態を示す説明図。
【図１２】ゲートから遊技球検知スイッチを取り外した状態を示す説明図。
【符号の説明】
【００６６】
１１…遊技盤
１１ａ…遊技盤前面
１１ｂ…遊技盤後面
３１…機能部品及び遊技球検知装置としてのゲート
３３…検知手段側コネクタ部としての検知スイッチ側コネクタ部
３４…信号線
３４ａ…信号線側コネクタ部
３５…検知装置本体としてのゲート本体
３６…遊技球検知手段としての遊技球検知スイッチ
３７…係止手段としての係止片
３８…通過部
３９…検知手段保持部としての検知スイッチ保持部
４２…部品取付孔
４２ａ…遊技盤前面側開口部
４２ｂ…遊技盤後面側開口部
４３…凹部
５０…制御装置としての主制御基板
Ａ１…遊技球
Ｂ１…接続部位
【図１】
2006094883.tif 000003
【図２】
2006094883.tif 000004
【図３】
2006094883.tif 000005
【図４】
2006094883.tif 000006
【図５】
2006094883.tif 000007
【図６】
2006094883.tif 000008
【図７】
2006094883.tif 000009
【図８】
2006094883.tif 000010
【図９】
2006094883.tif 000011
【図１０】
2006094883.tif 000012
【図１１】
2006094883.tif 000013
【図１２】
2006094883.tif 000014